【事件の表示】
　特許第３２４４４９３号「電子機器」の請求項１ないし３に係る特許に対する特許異議の申立てについて、次のとおり決定する。
【結　論】
　訂正を認める。
　特許第３２４４４９３号の請求項１ないし３に係る特許を取り消す。
【理　由】
【１】手続きの経緯
　本件特許第３２４４４９３号の発明は、昭和６３年３月２５日に実用新案登録出願した実願昭６３ー４０２０３号を変更して特許出願（平成5年11月4日、特願平5-275504号）とし、その後、この特許出願の一部を新たな特許出願（平成10年5月8日、特願平10-126537号）とし、さらにその後、この特許出願の一部を平成１１年６月１８日に新たな特許出願（特願平11-172343号）としたものであって、平成１３年１０月２６日にその特許（請求項の数３）について設定登録がなされ、平成１４年１月７日に特許公報が発行され、その後、その特許（全請求項）について平成１４年７月２日に粕谷キミエより特許異議の申立てがなされ、その全請求項について平成１４年９月２７日付で取消理由の通知がなされ、その指定期間内である平成１４年１２月９日に訂正請求がなされたものである。
　
【２】訂正の適否について
（１）訂正の要旨
　訂正請求書により訂正する訂正事項は、特許請求の範囲の減縮及びこれに関連する明細書の記載事項における明りょうでない記載の釈明を目的とするものであって、その訂正内容は、要旨、以下のとおりである。
（1-1）訂正事項I
　特許請求の範囲の減縮を目的として、特許請求の範囲における請求項1の記載を以下のように訂正する。
「【請求項1】　第一
回転
回転
回転
　候補データを表示可能な表示手段と、
　その表示手段に表示する前記候補データを複数記憶する記憶手段と、
　前記操作部の
回転
　所定の指示に伴い、前記記憶手段に記憶されている前記候補データを前記表示手段に表示させる制御を開始する表示制御手段とを備えた電子機器であって、
　前記表示制御手段は、候補データ表示を開始した後に、前記操作方向検出手段により前記操作部が第一
回転
回転
回転
回転
　前記操作部の第一
回転
回転
回転
（1-2）訂正事項II
　特許請求の範囲の減縮を目的として、特許請求の範囲における請求項2の記載を以下のように訂正する。
「【請求項2】　前記表示手段は、複数の前記候補データを一度に表示可能であり、
　前記選択手段は、前記操作部の第一
回転
回転
回転
（1-3）訂正事項III
　特許請求の範囲の減縮を目的として、特許請求の範囲における請求項3の記載を以下のように訂正する。
「【請求項3】　前記表示制御手段は、候補データ表示が開始された後に、前記操作方向検出手段により前記操作部が第一
回転
回転
回転
回転
（1-4）訂正事項IV
　明りょうでない記載の釈明を目的として、上記特許請求の範囲の訂正（訂正事項I）に伴い、特許明細書の段落【0006】における記載を、以下の通り訂正する。
「【課題を解決するための手段】
　上記の目的を達成するために、本発明の請求項1記載の電子機器は、第一回転方向及びそれとは反対の第二回転方向への回転操作が可能な操作部と、候補データを表示可能な表示手段と、その表示手段に表示する前記候補データを複数記憶する記憶手段と、前記操作部の回転操作方向を検出する操作方向検出手段と、所定の指示に伴い、前記記憶手段に記憶されている前記候補データを前記表示手段に表示させる制御を開始する表示制御手段とを備えた電子機器であって、前記表示制御手段は、候補データ表示を開始した後に、前記操作方向検出手段により前記操作部が第一回転方向へ回転操作されたことが検出された場合、現在表示している候補データに後続する候補データを前記表示手段に表示し、前記操作方向検出手段により前記操作部が第二回転方向へ回転操作されたことが検出された場合、現在表示している候補データに先行する候補データを前記表示手段に表示するように制御し、前記操作部の第一回転方向または第回転二方向への回転操作に基づいて、所望の候補データを表示手段に表示した後、選択する選択手段を備えている。」
（1-5）訂正事項V
　明りょうでない記載の釈明を目的として、上記特許請求の範囲の訂正（訂正事項I）に伴い、特許明細書の段落【0007】における記載を、以下の通り訂正する。
「この構成によれば、表示制御手段により、候補データ表示が開始された後に、前記操作方向検出手段により前記操作部が第一回転方向へ回転操作されたことが検出された場合、現在表示している候補データに後続する候補データが前記表示手段に表示され、前記操作方向検出手段により前記操作部が第二回転方向へ回転操作されたことが検出された場合、現在表示している候補データに先行する候補データが前記表示手段に表示される。そのため、操作部を第一回転方向あるいは第二回転方向に回転操作させることで、簡単に後続する候補データや先行する候補データを順次表示させることができると共に、所望の候補データを表示した後、選択手段により所望のデータを効率よく選択できる。」
（1-6）訂正事項VI
　明りょうでない記載の釈明を目的として、上記特許請求の範囲の訂正（訂正事項II及びIII）に伴い、特許明細書の段落【0008】における記載を、以下の通り訂正する。
「また、請求項2記載の電子機器は、請求項1記載の電子機器において、前記表示手段は、複数の前記候補データを一度に表示可能であり、前記選択手段は、前記操作部の第一回転方向または第二回転方向への回転操作に基づいて、所望の候補データを含む複数の候補データを表示手段に表示した後、その表示手段に表示された複数の候補データの中から所望の候補データを選択するものである。
　この構成によれば、表示手段に一度に複数の候補データを表示させるとともに、その表示手段に表示された複数の候補データの中から所望の候補データが選択される。
　更に、請求項3記載の電子機器は、請求項2記載の電子機器において、前記表示制御手段は、候補データ表示が開始された後に、前記操作方向検出手段により前記操作部が第一回転方向へ回転操作されたことが検出された場合、現在表示されている複数の候補データに替えて、後続する同数分の別の候補データを前記表示手段に表示させ、前記操作方向検出手段により前記操作部が第二回転方向へ回転操作されたことが検出された場合、現在表示されている複数の候補データに替えて、先行する同数分の別の候補データを前記表示手段に切替表示させるように制御するものである。」
（1-7）訂正事項VII
　明りょうでない記載の釈明を目的として、上記特許請求の範囲の訂正（訂正事項III）に伴い、特許明細書の段落【0009】における記載を、以下の通り訂正する。
「この構成によれば、表示制御手段により、候補データ表示が開始された後に、前記操作方向検出手段により前記操作部が第一回転方向へ回転操作されたことが検出された場合、現在表示されている複数の候補データに替えて、後続する同数分の別の候補データを前記表示手段に表示させ、前記操作方向検出手段により前記操作部が第二回転方向へ回転操作されたことが検出された場合、現在表示されている候補データに替えて、先行する同数分の別の候補データを前記表示手段に表示させる。そのため、候補データが多数存在する場合でも、操作部を操作することで、簡単に候補データを次々と切替表示させることができると共に、先に表示された候補データをすぐに再表示させることができ、候補データを短時間で確認することができる。」
（1-8）訂正事項VIII
　明りょうでない記載の釈明を目的として、上記特許請求の範囲の訂正（訂正事項I）に伴い、特許明細書の段落【0045】における記載を、以下の通り訂正する。
「以上詳述したように本発明の請求項1記載の電子機器によれば、表示制御手段により、候補データ表示が開始された後に、前記操作方向検出手段により前記操作部が第一回転方向へ回転操作されたことが検出された場合、現在表示している候補データに後続する候補データが前記表示手段に表示され、前記操作方向検出手段により前記操作部が第二回転方向へ回転操作されたことが検出された場合、現在表示している候補データに先行する候補データが前記表示手段に表示される。そのため、操作部を第一回転方向あるいは第二回転方向に回転操作させることで、簡単に後続する候補データや先行する候補データを順次表示させることができると共に、所望の候補データを表示した後、選択手段により所望のデータを効率よく選択できる。」
（1-9）訂正事項IX
　明りょうでない記載の釈明を目的として、上記特許請求の範囲の訂正（訂正事項I）に伴い、特許明細書の段落【0046】における記載を、以下の通り訂正する。
　「しかも、操作部の回転操作方向を変えることにより、表示手段に現在表示されている候補データに後続及び先行する候補データを表示手段に表示させることができるので、表示手段の表示を後続の候補データに切り替えるキーと先行の候補データに切り替えるキーをそれぞれ設ける必要がなく、追加キーによる余分なスペースをとることもないので、装置全体を簡略化・小型化することができるという効果を奏する。」
（1-10）訂正事項X
　明りょうでない記載の釈明を目的として、上記特許請求の範囲の訂正（訂正事項II及びIII）に伴い、特許明細書の段落【0047】における記載を、以下の通り訂正する。
　「また、請求項2記載の電子機器によれば、請求項1記載の電子機器の効果に加え更に、表示手段に複数の候補データを表示することが可能になるとともに、所望の候補データを含む複数の候補データの中から所望の候補データを選択手段によって選択することが可能となる。
　更に、請求項3記載の電子機器によれば、請求項2記載の電子機器の効果に加え更に、表示制御手段により、候補データ表示が開始された後に、前記操作方向検出手段により前記操作部が第一回転方向へ回転操作されたことが検出された場合、現在表示されている複数の候補データに替えて、後続する同数分の別の候補データを前記表示手段に表示させ、前記操作方向検出手段により前記操作部が第二回転方向へ回転操作されたことが検出された場合、現在表示されている候補データに替えて、先行する同数分の別の候補データを前記表示手段に表示させる。そのため、候補データが多数存在する場合でも、操作部を回転操作することで、簡単に候補データを次々と切替表示させることができると共に、先に表示された候補データをすぐに再表示させることができ、候補データを短時間で確認することができる。」
（２）訂正の適否についての判断
＜訂正の目的の適否、新規事項の有無及び特許請求の範囲の拡張・変更の存否についての判断＞
(2-1)訂正の目的等
　本件訂正の要旨は、上記訂正事項I〜Xのとおりであって、その訂正事項I〜IIIの訂正内容は、特許請求の範囲の減縮を目的とし、また訂正事項IV〜Xは前記訂正事項I〜IIIによる特許請求の範囲の減縮に伴なう明りょうでない記載の釈明を目的とするものである。
(2-2)検討
　以下、各訂正事項について検討する。
　(i)訂正事項I〜IIIは、請求項１〜３に係る発明の構成である「方向」への「操作が可能な操作部」について、その構成を「
回転
回転
回転
回転
回転
回転
　(ii)訂正事項IV〜Xは、前記した特許請求の範囲を減縮することにより不明りょうとなる詳細な説明の欄について、この減縮に係わる構成についての詳細な説明の欄の記載を訂正するものであって、明りょうでない記載の釈明にあたるものである。そして、この訂正も前記(i)同様、段落【0011】【0032】に記載されていたものである。
　(iii)したがって、訂正事項I〜Xに係る訂正は、いずれも特許請求の範囲の減縮及び明りょうでない記載の釈明を目的とするものであり、新規事項を追加するものではなく、また請求項を追加するなど実質的に特許請求の範囲を拡張し又は変更するものとも認められない。
(2-3)まとめ
　以上のとおりであって、上記訂正は、特許法第１２０条の４第３項において準用する平成６年法律第１１６号による改正前の特許法第１２６条第１項ただし書き及び同条第２項の規定に適合するので、当該訂正を認める。
　
【３】本件特許発明
　訂正された特許請求の範囲の請求項１乃至３に係る発明は、以下のとおりである。
「【請求項1】　第一
回転
回転
回転
　候補データを表示可能な表示手段と、
　その表示手段に表示する前記候補データを複数記憶する記憶手段と、
　前記操作部の
回転
　所定の指示に伴い、前記記憶手段に記憶されている前記候補データを前記表示手段に表示させる制御を開始する表示制御手段とを備えた電子機器であって、
　前記表示制御手段は、候補データ表示を開始した後に、前記操作方向検出手段により前記操作部が第一
回転
回転
回転
回転
　前記操作部の第一
回転
回転
回転
　【請求項2】　前記表示手段は、複数の前記候補データを一度に表示可能であり、
　前記選択手段は、前記操作部の第一
回転
回転
回転
　【請求項3】　前記表示制御手段は、候補データ表示が開始された後に、前記操作方向検出手段により前記操作部が第一
回転
回転
回転
回転
　
【４】取消理由通知
　本件特許発明における全請求項［請求項１乃至３］に係る発明について、特許法第２９条第２項違反として、特許異議申立人粕谷キミエが提出した甲第１号証及び甲第３号証に係る刊行物を引用し、概要、以下のような取消理由を通知した。
『＜引用刊行物＞
　刊行物１　特開昭61-286882号公報（異議申立人粕谷キミエの甲第1号証）
　刊行物２　東芝パーソナルワープロ Rupo 70GX 操作説明書(A1版，昭和62年7月4日株式会社東芝OA機器事業部 発行）（異議申立人粕谷キミエの甲第3号証）
　本件特許請求の範囲の請求項1乃至3に係る発明は、いずれも上記刊行物1、2に記載された発明に基づいて当業者が容易に発明をすることができたものであるから、当該請求項1乃至3に係る発明の特許は特許法第29条第2項の規定に違反してなされたものである。』
　
【５】当審の判断
（１）刊行物記載の発明
（1-1）前記取消理由で引用した刊行物１（特開昭61-286882号公報）には、その実施例及び図面第1〜6図に係わる記載を参酌すると、本件発明と同一技術分野である文書作成装置などの「電子機器」に係る発明であって、以下のような技術的事項が記載されている。
(1-1-1)「本発明は、例えば文書作成装置に使用される表示装置の画面切換え方式に関する。」（第1頁左下欄第20行〜同頁右下欄第1行）
(1-1-2)「マーク認識部13は、キー入力部14の操作によりカーソルで指定された表示部11上の特定マークを認識し、その認識結果を画面管理部15へ出力する。キー入力部14は、……（略）……カーソルの移動を制御するカーソルキーを備えている。画面管理部15は、マーク認識部13からの認識結果に応じて、表示部11の現画面から次画面又は前画面への画面切換え動作を実行させる。」（第2頁右上欄第19行〜同頁左下欄第6行）
(1-1-3)「CPU20は、例えば文書の行ピッチを指定する際に必要な複数の選択メニュー画面を設定し、第3図に示すように、最初のメニュー画面を表示部11へ表示させる。このとき、CPU20は、メニューデータと共に、次画面マーク30を表示させる。」（第2頁右下欄第4〜9行）
(1-1-4)「第3図に示す最初のメニュー画面を確認して必要なデータが無い場合、キー入力部14を操作してカーソル40を次画面マーク30へ移動させる。……（略）……。これにより、第5図に示すように、表示部11は現画面である最初のメニュー画面から次画面のメニュー画面へ表示を切換える。オペレータは、次画面に切換えられた表示部11のメニュー画面を確認して、必要なデータを選択するためにカーソル40を移動させる。」（第2頁右下欄第18行〜第3頁左上欄第11行）
(1-1-5)「次に、オペレータは、再度最初のメニュー画面を確認する必要がある場合には、第4図に示すように、キー入力部14を操作してカーソル40を前画面マーク31へ移動させる。……（略）……。これにより、第5図に示すように、表示部11は現画面である次画面のメニュー画面から前画面の最初のメニュー画面へ表示を切換える。」（第3頁左上欄第15行〜同頁右上欄第6行）
(1-1-6)「オペレータはカーソルキーを操作するだけで、メニューデータの選択及び画面切換え動作の両方を実行できるため、画面切換え動作を簡単に行うことができる。また、複数のメニュー画面が例えば３画面から成る場合、現画面から次画面又は前画面への画面切換えを常に１回のカーソルキー操作で行うことができる。」（第3頁右上欄第11〜18行）
(1-1-7)「画面切換え動作に必要なキーをカーソルキーに限定でき、しかもキー操作回数を最少にすることができる。このため、オペレータのキー入力操作性を大幅に向上することが可能となるものである。」（第3頁左下欄第7〜10行）
(1-1-8)また、第3図〜第5図には、左方向失印の次画面マーク30や右方向矢印の前画面マーク31が表示されており、カーソルキーによりカーソル40を次画面マーク30や前画面マーク31に合わせることで左方向や右方向に操作することによりメニュー画面が切換えられる表示制御の態様が記載されている。
（1-2）前記取消理由で引用した刊行物２（東芝パーソナルワープロ Rupo 70GX 操作説明書）には、「各キーの使いかた」、「単漢字で変換するには」に係わる記載を参酌すると、本件発明と同一技術分野である「電子機器」に係る発明であって、以下のような技術的事項が記載されている。
(1-2-1)第24頁には、キーボードのキー配置が図示されており、図中右下には、上下左右方向の4つの方向矢印キーからなるカーソル移動キーと単漢字キーと選択／実行キーとが図示されている。
(1-2-2)第68頁には、「単漢字キーを押すと、候補が10個単位に一覧表示されます。」と記載され、また「10個以上の候補がある場合……（略）……下方向矢印キーを押すと次の10個の候補が表示されます。上方向矢印キーを押すと10個の前候補が表示されます。」と記載され、さらに「カーソル移動キーで候補を選択し、選択／実行キーを押す……（略）……ことにより漢字が選択され、変換されます。」と記載されている。
　そして、この第68頁には、表示画面に10個の漢字候補が表示される表示制御の態様が図示されている。
（２）対比・判断
（2-1）訂正された本件請求項１に係る発明について
　本件請求項１に係る発明と上記刊行物１（特開昭61-286882号公報）に記載された発明とを対比すると、刊行物１における「キー入力部(14)」は請求項１に係る発明における「操作部」に相当するから、両者は、以下のとおりの一致点及び相違点(i)(ii)を有するものと認められる。
（一致点）
「第一方向及びそれとは反対の第二方向への操作が可能な操作部と、
　候補データを表示可能な表示手段と、
　前記操作部の操作方向を検出する操作方向検出手段と、
　所定の指示に伴い、前記記憶手段に記憶されている前記候補データを前記表示手段に表示させる制御を開始する表示制御手段とを備えた電子機器であって、
　前記表示制御手段は、候補データ表示を開始した後に、前記操作方向検出手段により前記操作部が第一方向へ操作されたことが検出された場合、現在表示している候補データに後続する候補データを前記表示手段に表示し、前記操作方向検出手段により前記操作部が第二方向へ操作されたことが検出された場合、現在表示している候補データに先行する候補データを前記表示手段に表示するように制御し、
　前記操作部の第一方向または第二方向への操作に基づいて、所望の候補データを表示手段に表示した後、選択する選択手段を備えた電子機器。」
（相違点）
 (i)本件請求項１に係る発明にあっては、操作部が、「第一回転方向及びそれとは反対の第二回転方向への回転操作が可能な操作部」であるのに対して、刊行物１にあっては、カーソルを第一方向及びそれとは反対の方向への操作が行われるキー入力部(14)であって、「回転操作が可能な操作部」との記載がない点、
 (ii)本件請求項１に係る発明にあっては、「表示手段に表示する前記候補データを複数記憶する記憶手段」を有するものであるのに対して、刊行物１にあっては、この構成が明記されていない点、
（検討）
　前記相違点について、以下に検討する。
　相違点(i)について、操作部の具体的構成として、「第一回転方向及びそれとは反対の第二回転方向への回転操作が可能な操作部」は、従来より周知の技術的事項（必要で有れば、特開昭62-277861号公報参照）であり、該操作部としてのキー入力部を回転操作が可能な操作部となすことは、当業者が容易になし得ることと認められる。
　なお、特許権者は、この操作部を「回転操作が可能な操作部」となすことの作用効果について、『本件特許発明特有の「…簡単に後続する候補データや先行する候補データを順次表示させることができると共に、所望の候補データを表示した後、選択手段により所望のデータを効率よく選択できる。しかも、…表示手段の表示を後続の候補データに切り替えるキーと先行の候補データに切り替えるキーをそれぞれ設ける必要がなく、追加キーによる余分なスペースをとることもないので、装置全体を簡略化・小型化することができる」（全文訂正明細書の段落番号【0045】〜【0046】）という、引例1には記載も示唆もない異質かつ顕著な効果を奏するものであります。』（異議意見書第9頁第3〜12行）旨、主張するが、刊行物１においても「オペレータのキー入力操作性を大幅に向上することが可能となる」（前記摘記した(1-1-7)参照）と記載されており、本件発明と同様の効果をいうものであって、この特許権者が主張する作用効果は、操作部を回転操作が可能な操作部とすることによる自明の作用効果（前記した周知技術の特開昭62-277861号公報にも開示されている）であって格別のものとは認められず、当該主張は採用することができない。
　相違点(ii)について、刊行物１においても「メニュー画面を表示部11へ表示させる。」（第2頁右下欄第6〜7行）と記載されており、メニュー画面を表示部(11)に表示するためには、通常、メニューデータを記憶するための記憶手段を備えることは明らかであり、表示部に候補データを表示する際、該候補データを複数記憶する記憶手段を具備して構成することは当業者が容易になし得ることと認められる。
　したがって、本件請求項１に係る発明は、刊行物１に記載された発明及び周知の技術的事項に基づいて当業者が容易に発明をすることができたものと認められる。
（2-2）訂正された本件請求項２に係る発明について
　本件請求項２は前記請求項１を引用するものであって、該請求項１に係る発明について、さらに前記表示手段と選択手段の構成を限定して規定するものである。
　しかしながら、この限定された、「複数の前記候補データを一度に表示可能」とすること、及び「所望の候補データを含む複数の候補データを表示手段に表示した後、その表示手段に表示された複数の候補データの中から所望の候補データを選択する」ことは、前記刊行物１にも開示されており、したがって、請求項２でさらに限定された構成においても、刊行物１に記載された技術的事項に基づいて当業者が容易になし得ることと認められる。
（2-3）訂正された本件請求項３に係る発明について
　本件請求項３は前記請求項２を引用するものであって、該請求項２に係る発明について、さらに前記表示制御手段の構成を限定して規定するものである。そして、本件請求項３に係る発明と上記刊行物１（特開昭61-286882号公報）に記載された発明とを対比すると、前記相違点(i)(ii)を有すると共に、請求項３に係る発明が「同数分の別の候補データを前記表示手段に表示させ」るものであり、刊行物１にあっては、この構成が明らかでない点でさらに相違し、その余は一致するものと認められる。
　しかしながら、相違点(i)(ii)については前記と同様であり、また更なる相違点である「同数分の別の候補データを前記表示手段に表示させる」ことは、例えば前記刊行物２に開示されているように従来より周知の技術的事項であるから、本件請求項３のように構成することは当業者は容易になし得ることと認められる。
　したがって、本件請求項３に係る発明は、刊行物１、２に記載された発明及び周知の技術的事項に基づいて当業者が容易に発明をすることができたものと認められる。
（３）まとめ
　以上のとおり、本件請求項１乃至３に係る発明は、取消理由で引用した前記刊行物１、２に記載された発明及び周知の技術的事項に基づいて当業者が容易に発明をすることができたものと認められる。
　
【６】まとめ
　以上のとおりであって、本件特許請求の範囲の請求項１乃至３に係る発明は何れも刊行物１、２に記載された発明及び周知の技術的事項に基づいて当業者が容易に発明をすることができたものであり、当該請求項１乃至３に係る発明の特許は、特許法第２９条第２項の規定に違反してなされたものであるから、同法第１１３条第１項第２号に該当し、取り消されるべきものである。
　よって、結論のとおり決定する。
【異議決定日】
平成１６年４月１６日（２００４．４．１６）
【訂正の要旨】
審決（決定）の【理由】欄参照。
（５４）【発明の名称】
電子機器
（５７）【特許請求の範囲】
　【請求項１】　第一
回転
回転
回転
　候補データを表示可能な表示手段と、
　その表示手段に表示する前記候補データを複数記憶する記憶手段と、
　前記操作部の
回転
　所定の指示に伴い、前記記憶手段に記憶されている前記候補データを前記表示手段に表示させる制御を開始する表示制御手段とを備えた電子機器であって、
　前記表示制御手段は、候補データ表示を開始した後に、前記操作方向検出手段により前記操作部が第一
回転
回転
回転
回転
　前記操作部の第一
回転
回転
回転
　【請求項２】　前記表示手段は、複数の前記候補データを一度に表示可能であり、
　前記選択手段は、前記操作部の第一
回転
回転
回転
　【請求項３】　前記表示制御手段は、候補データ表示が開始された後に、前記操作方向検出手段により前記操作部が第一
回転
回転
回転
回転
【発明の詳細な説明】
　【０００１】
　【発明の属する技術分野】
　本発明は、候補データを表示可能な表示手段を備え、該表示手段に表示された所望の候補データを選択させる構成を備えた電子機器に関するものである。
　【０００２】
　【従来の技術】
　従来の電子機器においては、キーボード等から仮名またはローマ字で入力されたデータを特定の漢字又は記号に変換する仮名・漢字変換処理を行う場合に、変換キーの操作により表示器に変換候補の文字又は記号が表示され、その変換キーを押す毎に次の変換候補の文字又は記号が表示器に表示され、確定キーの操作により変換候補の文字又は記号が確定されて表示器に表示されるようになっていた。
　【０００３】
　【発明が解決しようとする課題】
　しかしながら、表示器に表示される仮名・漢字変換候補の文字又記号は、変換キーの操作ごとに順次後続のものに切り替わり、最終の仮名・漢字変換候補の文字又記号の次に、先頭のデータの表示に戻るようになっているため、一旦、後続の仮名・漢字変換候補の文字又記号に切り替わった後に先行の仮名・漢字変換候補の文字又記号に戻したい場合には、変換キーを繰り返し押下して表示器に仮名・漢字変換候補の文字又は記号を順次表示させて表示を一巡させないと、その先行の仮名・漢字変換候補の文字又は記号に戻らない不都合があった。
　【０００４】
　ここで、変換キーの他に、表示器の表示を後続の仮名・漢字変換候補の文字又は記号に切り替えるキーと先行の仮名・漢字変換候補の文字又は記号に切り替えるキーを追加することも考えられるが、追加キーを設けると、余分なスペースが必要となり、また、キーの数が増えればそれだけで操作も複雑になるという問題点があった。
　【０００５】
　本発明は上記の問題点を鑑みて為されたものであり、小型であり、かつ、候補データを効率よく表示させ、選択することが可能な電子機器を提供することを目的としている。
　【０００６】
　【課題を解決するための手段】
　上記の目的を達成するために、本発明の請求項１記載の電子機器は、第一
回転
回転
回転
回転
回転
回転
回転
回転
回転
回転
回転
　【０００７】
　この構成によれば、表示制御手段により、候補データ表示が開始された後に、前記操作方向検出手段により前記操作部が第一
回転
回転
回転
回転
回転
回転
回転
　【０００８】
　また、請求項２記載の電子機器は、請求項１記載の電子機器において、前記表示手段は、複数の前記候補データを一度に表示可能であり、前記選択手段は、前記操作部の第一
回転
回転
回転
　この構成によれば、表示手段に一度に複数の候補データを表示させるとともに、その表示手段に表示された複数の候補データの中から所望の候補データが選択される。
　更に、請求項３記載の電子機器は、請求項２記載の電子機器において、前記表示制御手段は、候補データ表示が開始された後に、前記操作方向検出手段により前記操作部が第一
回転
回転
回転
回転
　【０００９】
　この構成によれば、表示制御手段により、候補データ表示が開始された後に、前記操作方向検出手段により前記操作部が第一
回転
回転
回転
回転
　【００１０】
　【発明の実施の形態】
　以下、本発明をダイヤル入力装置付きテープ印字装置に具体化した一実施の形態を図面を参照して説明する。
　【００１１】
　図２にテープ印字装置の全体構成を示す。このテープ印字装置は印字データを入力するための入力装置１０と、その印字データに従って印字テープに印字を行う印字装置（図示略）とを備えている。入力装置１０には入力部として機能する回転操作可能な選字（入力）ダイヤル１６が設けられている。この選字ダイヤル１６は円環状を成し、その円環状ダイヤル面１７には文字（仮名，英字，数字）及び記号，符号等の多数のキャラクタが等間隔で２段に表示されている。以下煩雑さを避けるために、これらのキャラクタを代表的に文字と称する。
　【００１２】
　入力装置１０にはまた、選字ダイヤル１６の選字位置を規定する位置合わせポイント１８が設けられている。選字ダイヤル１６の内側には、印字すべき文字を確定するために操作される確定キー２０が選字ダイヤル１６と同心的に設けられている。選字ダイヤル１６による選字操作の後、この確定キー２０が押されることにより、位置合わせポイント１８に位置している文字のうち、後述する外側内側選択キー２５により選択された側の文字が、入力文字として確定されることとなる。尚、位置合わせポイント１８に合わせられる文字は、テープ印字装置のフレーム上に設けられた３文字表示用の液晶ディスプレイ２２に表示されるようになっている。
　【００１３】
　入力装置１０には更に、選字ダイヤル１６の隣りに位置して、外側内側選択キー２５，漢字選択キー群２６，無変換キー３１，仮名・漢字変換キー３２，削除取消キー３３及び印字キー３５など、必要な複数のファンクションキー３６が設けられている。
　【００１４】
　外側内側選択キー２５は、選字ダイヤル１６の円環状ダイヤル面１７に表示されている２段の文字列について、外側の文字列と内側の文字列とのどちらかを入力させるかを選択する際に操作される。即ち、外側を選択すれば仮名が入力可能な仮名モードとなり、内側を選択すれば英字が入力可能な英字モードとなるのである。
　【００１５】
　また、無変換キー３１は仮名・漢字変換処理が不要な入力文字に対して操作される。仮名・漢字変換キー３２は、確定キー２０が操作され入力文字として確定された仮名文字に対する漢字変換の際に操作される。
　【００１６】
　削除取消キー３３は、確定キー２０により文字が入力された後に仮名・漢字変換処理が為されていない状態で操作された時には入力された文字を削除し、仮名・漢字変換処理が為された状態で操作された時には変換された漢字を仮名に戻すためのキーである。
　【００１７】
　漢字選択キー群２６は、仮名・漢字変換処理により液晶ディスプレイ２２に表示される候補漢字のうちの１つの漢字を選択する際に操作される。
　【００１８】
　印字キー３５は、入力された文字の印字を行なう際に操作される。
　【００１９】
　図１にテープ印字装置の制御系のブロック図を示す。
　【００２０】
　前記選字ダイヤル１６，確定キー２０及び各種のファンクションキー３６は、入力インターフェース１８２に接続されている。入力インターフェース１８２はバスライン１８４によりＣＰＵ１８６，ＲＯＭ１８８，ＲＡＭ１９０，キャラクタジェネレータ（以下ＣＧ−ＲＯＭと称する）１９２及び出力インターフェース１９６に接続されている。
　【００２１】
　ＲＯＭ１８８は本テープ印字装置の全体の動作を制御するプログラムを記憶するプログラムメモリ１９８、仮名・漢字変換などに用いられる辞書メモリ２００等を備えている。ＲＡＭ１９０は入力バッファ２０２，漢字バッファ２０３，入力ポインタ２０４，変換ポインタ２０５，漢字ポインタ２０６，変換フラグ２０７及び確定フラグ２０９等、各種のバッファやカウンタ，レジスタを備えている。
　【００２２】
　入力バッファ２０２には、選字ダイヤル１６並びに確定キー２０により入力された文字のデータが格納されるとともに、仮名・漢字変換後の漢字データが格納され、この入力バッファ２０２内のデータに基づいて液晶ディスプレイ２２に表示されるようになっている。
　【００２３】
　漢字バッファ２０３には、仮名・漢字変換キー３２が操作された時に、すべての候補漢字のデータが格納され、この漢字バッファ２０３内のデータの３文字分が液晶ディスプレイ２２に表示されるようになっている。
　【００２４】
　入力ポインタ２０４は入力バッファ２０２の入力位置を示すとともに、仮名・漢字変換処理される文字データ群の終点を示すものである。変換ポインタ２０５は、仮名・漢字変換処理される文字データ群の始点を示すものである。漢字ポインタ２０６は、漢字バッファ２０３内の表示すべきデータの上位位置を示すものである。
　【００２５】
　変換フラグ２０７は、仮名・漢字変換処理中は論理「１」に、そうでない時には論理「０」になるようになっている。確定フラグ２０９は、ダイヤル入力された候補文字について確定操作が為されると論理「１」となるようになっている。
　【００２６】
　ＣＧ−ＲＯＭ１９２は液晶ディスプレイ２２に表示すべき文字のドットパターンを発生するものである。
　【００２７】
　出力インターフェイス１９６には、液晶ディスプレイ２２及び印字装置が接続されている。
　【００２８】
　次に、以上のようなテープ印字装置の動作について図１及び図３を参照して説明する。
　【００２９】
　本テープ印字装置の図示しない電源が投入されると、ＣＰＵ１８６はステップＳ１（以下単にＳ１〜Ｓ３４と記憶する。）において、ＲＡＭ１９０内の各バッファ等の初期化を行なう。即ち、入力バッファ２０２及び漢字バッファ２０３のクリア動作を行なうとともに、入力ポインタ２０４及び変換ポインタ２０５の値を入力バッファ２０２の先頭番地に、漢字ポインタ２０６の値を漢字バッファ２０３の先頭番地に、変換フラグ２０７及び確定フラグ２０９の論理を「０」にそれぞれ設定する。
　【００３０】
　Ｓ２においては選字ダイヤル１６のどの文字が選択されているかを検出し、その文字に対応する文字データを入力データとして得る。続くＳ３で選字ダイヤル１６が回転操作されたか否かを判別し、ＹＥＳの時にはＳ４へ、ＮＯの時にはＳ１１へ移行する。
　【００３１】
　Ｓ４においては、変換フラグ２０７が１か否か、即ち、現在仮名・漢字変換中であるか否かが判別され、ＹＥＳの時には仮名・漢字変換の次候補を表示するためにＳ５・Ｓ６の処理が為され、ＮＯの時には選字ダイヤル１６により選択された文字データを入力バッファ２０２に格納するためにＳ７〜Ｓ９の処理が為される。
　【００３２】
　Ｓ５においては、選字ダイヤル１６が右方向に回転されれば漢字ポインタ２０６の値を３増し、左方向であれば３減らす処理が行われ、続くＳ６で漢字ポインタ２０６が示す位置から下位３文字分漢字バッファ２０３内の漢字を表示し、Ｓ２に戻る。またＳ７においては、確定フラグ２０９が１であるか否か、即ち、確定操作後初めて選字ダイヤル１６が操作されたか否かが判別され、ＹＥＳの時にはＳ８へ、ＮＯの時にはＳ９へそれぞれ移行する。
　【００３３】
　Ｓ８においては、入力ポインタ２０４の値をインクリメントするとともに確定フラグ２０９を０にリセットし、Ｓ９へ移る。Ｓ９においては、入力バッファ２０２内の入力ポインタ２０４が示す番地へ選字ダイヤル１６により選択された文字データを格納し、Ｓ１０へ移る。Ｓ１０においては、入力された文字群を表示するために、入力ポインタ２０４から上位３文字分の入力バッファ２０２内の文字を液晶ディスプレイ２２に表示させ、Ｓ２に戻る。
　【００３４】
　Ｓ３の判別結果によりＳ１１に移行した場合には、ファンクションキー３６のキースキャンが為され、Ｓ１２において確定キー２０が操作された時にはＳ１３により確定フラグＳ１３により確定フラグ２０９を１とし、Ｓ２に戻る。
　【００３５】
　Ｓ１４において無変換キー３１が操作された時にはＳ１５へ移る。Ｓ１５においては、確定フラグ２０９が１であるか否かが判別され、ＹＥＳの時にはＳ１６へ、ＮＯの時にはＳ１７へ移行する。
　【００３６】
　Ｓ１６においては、入力された文字を変換することなく出力するために、変換ポインタ２０５の値を入力ポインタ２０４の値＋１、即ち、次に入力される文字群の変換範囲の先頭位置を規定する値に設定し、Ｓ１０にて３文字表示した後にＳ２に戻る。
　【００３７】
　また、Ｓ１５において確定フラグ２０９の値が０と判別した場合は、確定操作されてない文字に対して無変換操作が為されたので、Ｓ１７においてエラー処理が為されるとともにＳ２に戻る。
　【００３８】
　Ｓ１８において仮名・漢字変換キー３２が操作されたと判別した時にはＳ１９で変換フラグ２０７を１に設定した後、Ｓ２０において入力バッファ２０２内の変換ポインタ２０５から入力ポインタ２０４までに格納されている文字データに基づいてＣＰＵ１８６により仮名・漢字変換処理が行われ、処理結果である候補漢字すべてが漢字バッファ２０３に格納される。そしてＳ６において候補漢字３文字を表示した後にＳ２に戻る。
　【００３９】
　Ｓ２１において削除取消キー３３が操作されたと判別した時には、Ｓ２２において現在仮名・漢字変換処理中であるか否かが変換フラグ２０７の状態により判別される。その判別結果がＹＥＳの時には仮名・漢字処理を取消すために、Ｓ２３において漢字バッファ２０３、漢字ポインタ２０６及び変換フラグ２０７の値をクリアし、Ｓ１０において入力バッファ２０２内の文字を表示した後にＳ２に戻る。またＳ２２における判別結果がＮＯの時には入力された文字を１文字削除するために、Ｓ２４〜Ｓ２７の処理が行なわれる。
　【００４０】
　Ｓ２４においては、入力ポインタ２０４が示す値が入力バッファ２０２の先頭番地と等しいか否か、即ち入力バッファ２０２内に文字データが格納されていないか否かが判別され、ＹＥＳの時にはＳ２７においてエラー処理が行われた後にＳ２に戻る。ＮＯの時にはＳ２５において、入力ポインタ２０４が示す入力バッファ２０２内の文字データを１文字削除し、続くＳ２６において入力ポインタ２０４の値をデクリメントした後、Ｓ１０において３文字表示し、Ｓ２に戻る。
　【００４１】
　Ｓ２８において漢字選択キー２６が操作されたと判別した場合には、Ｓ２９において現在仮名・漢字変換処理中であるか否かが変換フラグ２０７の状態により判別され、ＮＯの時にはＳ３２においてエラー処理が行なわれた後にＳ２に戻る。また、Ｓ２９における判別結果がＹＥＳの時には、Ｓ３０において漢字選択キー２６に対応した位置に表示されている漢字が選択されたことになるので、その漢字を漢字バッファ２０３から読み出し、入力バッファ２０２内の変換ポインタ２０５が示す位置へ格納する。続くＳ３１において、変換ポインタ２０５の値を入力ポインタ２０４に格納し、変換ポインタ２０５の値をインクリメントし、変換フラグ２０７の値を０にリセットする。そして、Ｓ１０で３文字表示した後にＳ２に戻る。
　【００４２】
　Ｓ３３において他のキーが操作されたと判別した場合にはＳ３４において当該他のキーの処理が為された後にＳ２に戻る。
　【００４３】
　上記の動作を行うことにより、削除取消キー３３一個で入力文字の削除と仮名・漢字変換処理の取消との両者を操作することが可能となる。特に、ＣＰＵ１８６は削除取消キー３３が操作された時に、仮名・漢字変換処理中であるか否かを判別し、その判別結果に基づいて処理の取消あるいは文字の削除を行うので、取消キーと削除キーとの２キーにより取消及び削除を行う入力装置と比較して、装置全体を簡略化・小型化することが可能となる。
　【００４４】
　尚、上記実施の形態においては、削除取消キーによる処理の取消の一部として、仮名・漢字変換処理について記載したが、他のあらゆる処理の取消に実施可能である。また、上記実施の形態は本発明をダイヤル入力装置付きテープ印字装置に具体化した一例にすぎず、他の型式の入力装置、例えばキーボード等にも実施可能であることは自明である。
　【００４５】
　【発明の効果】
　以上詳述したように本発明の請求項１記載の電子機器によれば、表示制御手段により、候補データ表示が開始された後に、前記操作方向検出手段により前記操作部が第一
回転
回転
回転
回転
回転
回転
回転
　【００４６】
　しかも、操作部の
回転
　【００４７】
　また、請求項２記載の電子機器によれば、請求項１記載の電子機器の効果に加え更に、表示手段に複数の候補データを表示することが可能になるとともに、所望の候補データを含む複数の候補データの中から所望の候補データを選択手段によって選択することが可能となる。
　更に、請求項３記載の電子機器によれば、請求項２記載の電子機器の効果に加え更に、表示制御手段により、候補データ表示が開始された後に、前記操作方向検出手段により前記操作部が第一
回転
回転
回転
回転
回転
【図面の簡単な説明】
　【図１】
　本発明を具体化した一実施の形態であるダイヤル入力装置付きテープ印字装置の構成を示すブロック図である。
　【図２】
　ダイヤル入力装置付きテープ印字装置の概略斜視図である。
　【図３】
　ダイヤル入力装置付きテープ印字装置の動作を示すフローチャートである。
　【符号の説明】
　１０　入力装置
　１６　選字ダイヤル
　２２　液晶ディスプレイ
　２６　漢字選択キー
　３２　仮名・漢字変換キー
　１８６　ＣＰＵ
　１９０　ＲＡＭ
　２０３　漢字バッファ